(57)【要約】      （修正有）【課題】長爪、飾り爪の手で食器洗い、洗濯等の家事ができる水作業用ゴム手袋セットを提供する。【解決手段】ゴム手袋は、内装手袋と外装手袋２とからなる。内装手袋は全体が薄手ストッキング生地で形成され、爪部分が重ね編み仕上げとなっている。外装手袋２は、手首までの長さのゴム製短手袋２1と手首から肘を越えて延びる長めの防水布製アームカバー２２とからなり、ゴム製短手袋２１の後端部と防水布製アームカバー２２の先端部との結合部に第１伸縮部２３を防水接合して形成するとともに防水布製アームカバー２２の後端部を第２伸縮部２４とし、脱着容易に装着できるようにした。【選択図】図１
0003158683.tif 000002
【実用新案登録請求の範囲】
【請求項１】
全体が薄手ストッキング生地で形成され、爪部分１１が重ね編み仕上げとなり、長爪又は飾り爪を保護可能である内装手袋１と、手首までの長さのゴム製短手袋２1と手首から肘を越えて延びる長めの防水布製アームカバー２２とからなり、ゴム製短手袋２１の先端部２１ａを五本指とする一方、ゴム製短手袋２１の後端部２１ｂと防水布製アームカバー２２の先端部２２ａとの結合部に第１伸縮部２３を防水接合して形成するとともに防水布製アームカバー２２の後端部２２ｂを第２伸縮部２４とした外装手袋２とからなることを特徴とする水作業用手袋。
【請求項２】
手首までの長さのゴム製短手袋２1と手首から肘を越えて延びる長めの防水布製アームカバー２２とからなり、ゴム製短手袋２１の先端部２１ａを五本指とする一方、ゴム製短手袋２１の後端部２１ｂと防水布製アームカバー２２の先端部２２ａとの結合部に第１伸縮部２３を防水接合して形成するとともに防水布製アームカバー２２の後端部２２ｂを第２伸縮部２４とした外装手袋２とからなることを特徴とする水作業用手袋。
【請求項３】
ゴム製短手袋２１と防水布製アームカバー２２との結合部の防水接合をゴム地と防水布をプレス加工して接合し形成する請求項１及び請求項２記載の水作業用手袋。
【考案の詳細な説明】
【技術分野】
【０００１】
本考案は、長い爪、飾り爪をした主婦の洗い物、炊事、洗濯等の水を扱う作業に適した手袋に関する。
【背景技術】
【０００２】
近年のヤングママはおしゃれで、指爪アートの発展に伴い、長い飾り爪をした人が多い。しかしながら、水を扱う作業にはゴム手袋を用いるため、飾り爪の状態ではそのゴム手袋をそのまま装着して水洗いに用いることができず、各種ネイル保護片１０を用いることが提案されている（特許文献1）。
【０００３】
他方、水作業用ゴム手袋は肘までの長さのものが大半で、例えば、洗い物の途中に食器を持ち上げた場合に、水作業で手袋の表面に付いた水滴は平滑な表面を通して流れ落ち易く、袖上部を濡らしてしまうことがあり、ゴム製手袋の上部を１〜４ｃｍ程度折り返して水溜部を形成することが提案されている（特許文献２）。
【先行技術文献】
【特許文献】
【０００４】
【特許文献１】実用新案登録第３１３１８１７号
【特許文献２】実用新案登録第３０６１３９５号
【考案の開示】
【考案が解決しようとする課題】
【０００５】
しかしながら、前者のネイル保護片は水作業用ゴム手袋を装着する場合を考慮されておらず、ネイル保護片を装着したまま水作業用ゴム手袋を装着するのは困難で、ゴム手袋に内装するに適当なネイル保護を必要とする。後者の場合、水濡れには有効であるがゴム手袋の折り返しが手首と肘との間にあって手袋の脱着が困難であるという難点がある。そこで、本考案は両者の欠点を同時に解決でき、飾り爪であってもネイル保護片を使用することなくゴム手袋に内装でき、水漏れなく脱着が容易な水作業用ゴム手袋を提供することを課題とする。
【課題を解決するための手段】
【０００６】
本考案は、飾り爪で水作業用ゴム手袋を使用できるようにするためにはストッキング用薄手の布地を使用して爪部分を重ね編して内装手袋を構成すれば、指の動きに支障を与えることなく飾り爪を保護し、しかも外装用ゴム手袋に装着容易であることを見出すとともに、他方、外装ゴム手袋は手首までの短いものとし、手首部分で防水布製のアームカバーと連結すると手首部分で折り返しが容易で脱着が容易となるとともに、このアームカバーを肘までの長めのものとすることにより水返しがなくとも水濡れのないゴム手袋とすることができることを見出して完成したもので、全体が薄手ストッキング生地で形成され、爪部分１１が重ね編み仕上げとなり、長爪又は飾り爪を保護可能である内装手袋１と、手首までの長さのゴム製短手袋２1と手首から肘を越えて延びる長めの防水布製アームカバー２２とからなり、ゴム製短手袋２１の先端部２１ａを五本指とする一方、ゴム製短手袋２１の後端部２１ｂと防水布製アームカバー部２２の先端部２２ａとの結合部に第１伸縮部２３を防水接合して形成するとともに防水布製アームカバー２２の後端部２２ｂを第２４伸縮部とした外装手袋２とからなることを特徴とする水作業用手袋。
【考案の効果】
【０００７】
本考案によれば、飾り爪であっても内装手袋が軽量で滑りの良いストッキング生地でカバーされ、通常の家事は内装手袋をしたまま飾り爪を保護しつつ支障なく作業することができ、しかもそのまま水作業のときはスムーズにゴム手袋を装着することができる。ゴム手袋は手首部分で折り返しができるように防水性布地に置き換えてあるので、手首部分までの捲くり（図３）が容易であるからゴム手袋の脱着が容易となる。アームカバーは肘まであるので作業時に不意に水濡れを防止することができる（図２）。
【０００８】
飾り爪がない場合は内装の手袋は装着せず、外装のゴム手袋をそのまま直接装着することができる。したがって、本考案は脱着が容易で、肘まで腕囲いのある袖の水濡れのない水作業用ゴム手袋を提供するものでもある。
【図面の簡単な説明】
【０００９】
【図１】本考案に係る水作業用外装手袋の斜視図である。
【図２】図１に示す水作業用外装手袋の装着状態を示す斜視図である。
【図３】図１に示す水作業用外装手袋の脱着途中の段階を示す斜視図である。
【図４】図１に示す水作業用外装手袋に内装する内装手袋の一部を示す斜視図である。
【考案を実施するための形態】
【００１０】
本案で使用するゴム手袋２は、図１に示すようにゴム製短手袋２１と防水布製アームカバー２２とからなる。ゴム製短手袋２１は手首まで長さとし、合成樹脂、天然ゴム等を素材として、先端は５本指が形成され、後端はちょうど手首の屈折部に至る。
【００１１】
次に、前記防水布製アームカバー２２はその手首屈折部の外側に筒状に縫い合わせた布体を当て、これを全周に渡って接合し、上部にゴム紐等の第１伸縮部２３を形成する。該接合は、水の侵入がないように、接着剤等を介してプレスして接合するのが良い。該布体は、笠布等の防水性布地を用いるのがよい。防水布製アームカバー２２は手首の屈折部から肘を越えて覆う長さを必要とし、後端部には前端部の第１伸縮部２３と同様に第２伸縮部２４を形成する。
【００１２】
したがって、本案手袋は、ゴム製短手袋２１を指に嵌めて、第１伸縮部２３で手首の屈折部に係り止めし、防水布製アームカバー２２の後端を第２伸縮部２４で肘上に係り止めると手及び腕を覆う（図２参照）。手首より肘方向はゴムでなく、布製であるから、装着が容易であるだけでなくゴムと違って柔軟性に富み、違和感なく腕に相応して水作業の邪魔にならない。次に、食器洗い、洗濯等の水を扱う家事をする場合、洗濯や洗い物等の水作業中に腕を持ち上げると、作業中に表面に付着した水は平滑な面を伝って袖部に向けて流れ落ちるが、手首から肘上まで防水布製アームカバー２２で覆われているので、袖部が濡れることはない。従って、水作業を継続させても、防水布製アームカバー２２により内部に水が廻ることがなく、快適に作業を続けることができる。更に図３に示すように防水布製アームカバー２２を捲りあげるとゴム製短手袋２１を容易に脱着させることができる。
【００１３】
更に、飾り爪を持つ人は直接上記手袋を装着するのではなく、図４に示す内装手袋１をまず装着する。本案内装手袋１は、ナイロンストッキングのような薄手の伸縮性に富む生地１０で形成され、爪部分１１ａから１１ｅが重ね編み仕上げとなっており、長爪又は飾り爪を保護する。内装手袋１の後端部は重ね編みの伸縮部１２とする。長さはほぼ手首と肘の中間までとし、上記外装手袋と重ねて使用する場合は５本指とするのがよい。
【００１４】
本案内装手袋１をまず装着すると、飾り爪部分１１ａから１１ｅが重ね編み仕上げのストッキング生地で保護されるので、その上に外装ゴム手袋２を装着しやすい。
【００１５】
上記実施例ではゴム製短手袋２１と防水布製アームカバー２２とを第１伸縮部３でプレス加工により結合させたが、防水布製アームカバー２２に装飾デザインを施すと、飾り爪をしたヤングママ達にお気に入りの水作業用手袋を提供できる。
【産業上の利用可能性】
【００１６】
以上の構成に関わる本案ゴム手袋は、飾り爪がある場合は内装手袋１をして、飾り爪がない場合はそのまま外装手袋２を装着して水濡れのない水作業を行うことができるので、利便性に富んだものである。
【図１】
0003158683.tif 000003
【図２】
0003158683.tif 000004
【図３】
0003158683.tif 000005
【図４】
0003158683.tif 000006
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
全体が薄手ストッキング生地で形成され、爪部分１１が重ね編み仕上げとなり、長爪又は飾り爪を保護可能である内装手袋１と、手首までの長さのゴム製短手袋２１と手首から肘を越えて延びる長めの防水布製アームカバー２２とからなり、ゴム製短手袋２１の先端部２１ａを五本指とする一方、ゴム製短手袋２１の後端部２１ｂと防水布製アームカバー２２の先端部２２ａとの結合部に第１伸縮部２３を防水接合して形成するとともに防水布製アームカバー２２の後端部２２ｂを第２伸縮部２４とした外装手袋２とからなることを特徴とする水作業用手袋。
【請求項２】
手首までの長さのゴム製短手袋２１と手首から肘を越えて延びる長めの防水布製アームカバー２２とからなり、ゴム製短手袋２１の先端部２１ａを五本指とする一方、ゴム製短手袋２１の後端部２１ｂと防水布製アームカバー２２の先端部２２ａとの結合部に第１伸縮部２３を防水接合して形成するとともに防水布製アームカバー２２の後端部２２ｂを第２伸縮部２４とした外装手袋２とからなることを特徴とする水作業用手袋。
【請求項３】
ゴム製短手袋２１と防水布製アームカバー２２との結合部の防水接合をゴム地と防水布をプレス加工して接合し形成する請求項１または２記載の水作業用手袋。